(57)【要約】【課題】プリンターの主導で印刷の対象となるコンテンツデータを含む放送信号を受信し、受信したコンテンツデータを加工して印刷することができる放送信号受信印刷システムを提供することを目的とする。【解決手段】上記課題を解決するために、受信した放送信号に基づいて印刷処理を行う放送信号受信印刷システムであって、上記放送信号を受信する放送信号受信手段と、上記放送信号受信手段により受信した上記放送信号から印刷の対象となるコンテンツデータと、上記コンテンツデータの内容を示す種別データとを抽出するデータ抽出手段と、上記データ抽出手段により抽出された上記コンテンツデータ、及び上記種別データに基づいて、印刷形式の印刷データを生成する印刷データ生成手段と、上記印刷データ生成手段により生成された上記印刷データを印刷する印刷手段とを有する構成とされる。【選択図】        図１
2004336137.tif 000002
【特許請求の範囲】
【請求項１】
受信した放送信号に基づいて印刷処理を行う放送信号受信印刷システムであって、
上記放送信号を受信する放送信号受信手段と、
上記放送信号受信手段により受信した上記放送信号から印刷の対象となるコンテンツデータと、上記コンテンツデータの内容を示す種別データとを抽出するデータ抽出手段と、
上記データ抽出手段により抽出された上記コンテンツデータ、及び上記種別データに基づいて、印刷形式の印刷データを生成する印刷データ生成手段と、
上記印刷データ生成手段により生成された上記印刷データを印刷する印刷手段とを有することを特徴とする放送信号受信印刷システム。
【請求項２】
上記種別データが防災情報であるとき、上記印刷手段の電源が投入されているか否かを判断する判断手段を有し、
上記判断手段により電源が投入されていると判断されたとき、上記印刷手段は、即座に上記印刷データを印刷することを特徴とする請求項１記載の放送信号受信印刷システム。
【請求項３】
外部電源が停電したときに用いる無停電電源を有し、
上記判断手段により外部電源の停電で電源が投入されていないと判断されたとき、上記無停電電源を上記印刷手段に投入し、
上記印刷手段は、即座に上記印刷データを印刷することを特徴とする請求項２記載の放送信号受信印刷システム。
【請求項４】
上記種別データに対する上記コンテンツデータの印刷条件を示す印刷条件データを管理する印刷条件データ管理手段と、
上記印刷データ生成手段は、上記印刷条件データ管理手段により管理された印刷条件データに基づいて、独自の印刷仕様の印刷データを生成することを特徴とする請求項１乃至３いずれか一項記載の放送信号受信印刷システム。
【請求項５】
上記印刷条件データ管理手段は、上記印刷データの印刷を行うタイミングを示すタイミングデータを管理し、
上記印刷手段は、上記タイミングデータに基づいて、上記印刷データを所定のタイミングで印刷することを特徴とする請求項４記載の放送信号受信印刷システム。
【請求項６】
上記データ抽出手段により上記放送信号から抽出された放送音声データを管理する音声データ管理手段と、
上記放送音声データを印刷データである文書データに変換する音声データ変換手段とを有することを特徴とする請求項４記載の放送信号受信印刷システム。
【請求項７】
上記音声データ管理手段は、特定話者による音声データを管理し、
上記印刷条件データ管理手段は、上記特定話者による音声データを文書データに変換する際に使用する辞書データを管理し、
上記音声データ管理手段により管理された上記放送音声データ及び音声データに基づいて、上記放送音声データが上記特定話者による音声データであるか否かを認識する認識手段を有し、
上記音声データ変換手段は、上記認識手段により上記放送音声データが上記特定話者による音声データであると認識されたとき、該特定話者の上記辞書データに基づいて、上記音声データを文書データに変換することを特徴とする請求項６記載の放送信号受信印刷システム。
【請求項８】
上記放送信号受信手段は、情報送信端末から送信された印刷条件更新データを受信し、
受信した上記印刷条件更新データに基づいて、上記印刷条件データ管理手段により管理された上記印刷条件データを更新する印刷条件更新手段を有することを特徴とする請求項１乃至７いずれか一項記載の放送信号受信印刷システム。
【請求項９】
受信した放送信号に基づいて生成した印刷データをプリンターへ提供する信号受信提供装置であって、
上記放送信号を受信する放送信号受信手段と、
上記放送信号受信手段により受信した上記放送信号から印刷の対象となるコンテンツデータと、上記コンテンツデータの内容を示す種別データとを抽出するデータ抽出手段と、
上記データ抽出手段により抽出された上記コンテンツデータ、及び上記種別データに基づいて、印刷形式の印刷データを生成する印刷データ生成手段と、
上記印刷データ生成手段により生成された上記印刷データを上記プリンターへ提供する提供手段とを有することを特徴とする信号受信提供装置。
【発明の詳細な説明】
【０００１】
【発明の属する技術分野】
本発明は、放送信号受信印刷システムに係り、特に、プリンターで放送信号などの電波を受信し、その電波に含まれるデータを印刷する放送信号受信印刷システムに関する。また、本発明は、信号受信提供装置に係り、特に、プリンターに接続され、受信した放送信号に基づいて生成した印刷データをプリンターへ提供する信号受信提供装置に関する。
【０００２】
【従来の技術】
従来、多種多様な情報を用紙に印刷するプリンターは、接続されたＰＣから印刷の要求、及び印刷する情報を受信して、その情報を印刷する。例えば、ＰＣからインターネットに接続して所定の情報をＷｅｂサーバから取得し、ＰＣのディスプレイに表示させた情報を印刷したい場合、ユーザーはＰＣからプリンターへ印刷要求を提供し、印刷要求を受信したプリンターはその表示情報を印刷する。一般的にプリンターは、接続されたＰＣを介在してユーザーの意思に基づいた情報の印刷処理が行われているため、プリンターの主導で所定情報の印刷処理が行われる場合は少ない。
【０００３】
また、従来技術において、ＡＭ／ＦＭラジオや、ＴＶ受像機で、ＦＭ信号やＡＭ信号、ＴＶ信号などの放送信号に含まれる所定の情報を出力させる多重放送システムが存在する。それらの放送信号には、電波の時間的な隙間に文字データで構成された文字情報などを多重化し、不特定多数の視聴者に送信される。このような多重放送システムでは、文字情報以外にも、通常の音声以外の他の系統の音声データが多重化された２カ国後放送やステレオ放送が行われている。
【０００４】
また、従来技術では、ディスプレイ表示を対象とした文字放送番組の内容の全ページ印刷を行う文字放送情報印刷システムもある（例えば、特許文献１参照）。
【０００５】
【特許文献１】
特開平１１−１９６３７０号公報
【０００６】
【発明が解決しようとする課題】
しかしながら、従来の多重放送システムにおいて、多重化された放送信号の受信機能を有するＡＭ／ＦＭラジオや、ＴＶ受像機でなければ、多重化された情報を取得することができず、そのような受信機能を持たない機器では適用できないという問題点があった。例えば、上記のようにプリンター自体で放送信号を受信して、その放送信号に含まれる所定の情報を印刷することはできなかった。
【０００７】
また、災害、事件等の緊急情報がＡＭ／ＦＭ信号、ＴＶ信号に多重化されて送信された場合、それらの信号を受信するＡＭ／ＦＭラジオや、ＴＶ受像機の電源を投入して待機しなければならず、通常、夜中、明け方などはＡＭ／ＦＭラジオや、ＴＶ受像機の電源を付けていない場合が多く、視聴者が常に緊急情報を視聴し、災害、事件等の発生を認識するのは難しいという問題点があった。
【０００８】
そこで、本発明の課題は、プリンターの主導で印刷の対象となるコンテンツデータを含む放送信号を受信し、受信したコンテンツデータを加工して印刷することができる放送信号受信印刷システムを提供することである。
【０００９】
また、本発明の課題は、既存のプリンターに接続し、印刷の対象となるコンテンツデータを含む放送信号を受信し、受信したコンテンツデータを加工して印刷情報を既存のプリンターに提供することができる信号受信提供装置を提供することである。
【００１０】
【課題を解決するための手段】
上記の課題を解決するため、本発明は、請求項１に記載されるように、受信した放送信号に基づいて印刷処理を行う放送信号受信印刷システムであって、上記放送信号を受信する放送信号受信手段と、上記放送信号受信手段により受信した上記放送信号から印刷の対象となるコンテンツデータと、上記コンテンツデータの内容を示す種別データとを抽出するデータ抽出手段と、上記データ抽出手段により抽出された上記コンテンツデータ、及び上記種別データに基づいて、印刷形式の印刷データを生成する印刷データ生成手段と、上記印刷データ生成手段により生成された上記印刷データを印刷する印刷手段とを有する構成とされる。
【００１１】
このような放送信号受信印刷システムでは、プリンターの主導で印刷の対象となるコンテンツデータを含む放送信号を受信し、受信したコンテンツデータから印刷データを生成して印刷することができる。尚、放送信号受信印刷システムに適用されるプリンターは、家庭やオフィス、郵便局や交番、駅などの公共施設に容易に設置することができる。
【００１２】
防災情報を確実に印刷するという観点から、本発明は、請求項２に記載されるように、上記種別データが防災情報であるとき、上記印刷手段の電源が投入されているか否かを判断する判断手段を有し、上記判断手段により電源が投入されていると判断されたとき、上記印刷手段は、即座に上記印刷データを印刷する構成としてもよい。
【００１３】
このような放送信号受信印刷システムでは、種別データが防災情報であるとき、プリンターの電源が投入されているか否かを判断し、電源が投入されていると判断されたとき、即座に防災情報を印刷することができる。
【００１４】
防災情報を確実に印刷するという観点から、本発明は、請求項３に記載されるように、外部電源が停電したときに用いる無停電電源を有し、上記判断手段により外部電源の停電で電源が投入されていないと判断されたとき、上記無停電電源を上記印刷手段に投入し、上記印刷手段は、即座に上記印刷データを印刷する構成としてもよい。
【００１５】
このような放送信号受信印刷システムでは、種別データが防災情報であり、外部電源の停電で電源が投入されていないとき、無停電電源を投入し、即座に防災情報を印刷することができる。
【００１６】
コンテンツデータを独自に加工して印刷するという観点から、本発明は、請求項４に記載されるように、上記種別データに対する上記コンテンツデータの印刷条件を示す印刷条件データを管理する印刷条件データ管理手段と、上記印刷データ生成手段は、上記印刷条件データ管理手段により管理された印刷条件データに基づいて、独自の印刷データを生成する構成としてもよい。
【００１７】
このような放送信号受信印刷システムでは、種別データに対するコンテンツデータの印刷条件を示す印刷条件データに基づいて、独自の印刷データを生成し、印刷することができる。
【００１８】
コンテンツデータを所定のタイミングで印刷するという観点から、本発明は、請求項５に記載されるように、上記印刷条件データ管理手段は、上記印刷データの印刷を行うタイミングを示すタイミングデータを管理し、上記印刷手段は、上記タイミングデータに基づいて、上記印刷データを所定のタイミングで印刷する構成としてもよい。
【００１９】
このような放送信号受信印刷システムでは、所定の時間に放送される放送信号のコンテンツデータに対して印刷処理を行うことができる。
【００２０】
音声データを文書データに変換するという観点から、本発明は、請求項６に記載されるように、上記データ抽出手段により上記放送信号から抽出された放送音声データを管理する音声データ管理手段と、上記放送音声データを印刷データである文書データに変換する音声データ変換手段とを有する構成としてもよい。
【００２１】
このような放送信号受信印刷システムでは、放送信号から抽出した放送音声データを印刷データである文書データへ容易に変換することができる。
【００２２】
特定話者の辞書データを用いて特定話者の放送音声データを文書データに変換するという観点から、本発明は、請求項７に記載されるように、上記音声データ管理手段は、特定話者による音声データを管理し、上記印刷条件データ管理手段は、上記特定話者による音声データを文書データに変換する際に使用する辞書データを管理し、上記音声データ管理手段により管理された上記放送音声データ及び音声データに基づいて、上記放送音声データが上記特定話者による音声データであるか否かを認識する認識手段を有し、上記音声データ変換手段は、上記認識手段により上記放送音声データが上記特定話者による音声データであると認識されたとき、該特定話者の上記辞書データに基づいて、上記音声データを文書データに変換する構成としてもよい。
【００２３】
このような放送信号受信印刷システムでは、放送音声データが特定話者による音声データであると認識されたとき、その特定話者の辞書データを用いて放送音声データを印刷データである文書データに容易に変換することができる。
【００２４】
情報送信端末から印刷条件データを更新するという観点から、本発明は、請求項８に記載されるように、上記放送信号受信手段は、情報送信端末から送信された印刷条件更新データを受信し、受信した上記印刷条件更新データに基づいて、上記印刷条件データ管理手段により管理された上記印刷条件データを更新する印刷条件更新手段を有する構成としてもよい。
【００２５】
このような放送信号受信印刷システムでは、テレビ受像機のリモコン、携帯電話、ＰＤＡ（Ｐｅｒｓｏｎａｌ  Ｄｉｇｉｔａｌ  Ａｓｓｉｓｔａｎｔ）などの情報送信端末から受信した印刷条件更新データにより、印刷条件データを更新し、印刷するタイミングや独自の印刷仕様の設定を変更することができる。
【００２６】
上記の課題を解決するため、本発明は、請求項９に記載されるように、電波から抽出したコンテンツデータをプリンターへ提供する信号受信提供装置であって、上記電波を受信する電波受信手段と、上記電波受信手段により受信した電波から印刷の対象となるコンテンツデータと、上記コンテンツデータの内容を示す種別データとを抽出するデータ抽出手段と、上記データ抽出手段により抽出された上記コンテンツデータ、及び上記種別データに基づいて、印刷形式の印刷データを生成する印刷データ生成手段と、上記印刷データ生成手段により生成された上記印刷データを上記プリンターへ提供する提供手段とを有する構成とされる。
【００２７】
このような信号受信提供装置では、既存のプリンターに外付けで接続することができ、印刷の対象となるコンテンツデータを含む放送信号を受信し、受信したコンテンツデータを加工して印刷データを接続された既存のプリンターに提供することができる。
【００２８】
【発明の実施の形態】
以下、本発明の実施の形態を図面に基づいて説明する。
【００２９】
図１は、本発明の第１実施例に係る放送信号受信印刷システムにおける構成図である。図１において、放送信号受信印刷システム１は、通常の放送信号に、他の情報を多重化した放送信号を送信する放送局５０と、放送信号を受信し、受信した放送信号から印刷の対象となるデータを抽出して印刷するプリンター２とで構成されている。ここで、放送局５０は、放送信号としてＡＭ、ＦＭ信号を送信するものとする。
【００３０】
尚、放送局５０は、放送信号として多重化されたＴＶ信号を送信することも可能であり、ＴＶ信号を受信する場合の実施例を図８で詳細に説明する。
【００３１】
放送局５０は、多重化された放送信号を、アンテナ５１を介して不特定多数の視聴者に送信する送信処理部５２と、通常の放送信号に他のデータを多重化するデータ多重処理部５３とで構成されている。また、基地局５０から送信される多重化された放送信号には、印刷の対象となる複数のコンテンツデータ（音声データ、文字情報など）と、複数のコンテンツデータを識別するヘッダとして、コンテンツデータ毎にそのコンテンツデータの内容を示す種別データとが付加されている。
【００３２】
プリンター２は、アンテナ３を介して放送信号を受信し、印刷処理部８に印刷を行うデータを提供する信号受信提供手段２０と、外部電源が停電したときに用いられる無停電電源を有するバッテリーなどの無停電電源装置４と、コンテンツデータの印刷条件を示す印刷条件データを格納した印刷条件データベース（以下ＤＢと呼ぶ）５と、プリンター２の電源がオフの時、電源を投入し、停電時に無停電電源を投入する電源制御部６と、印刷条件データである印刷仕様データおよび印刷タイミングデータの設定時に、プリンター２に設けられた入力装置（図示せず）からの入力を制御する入力制御部７と、信号受信提供手段２０により提供された印刷データを用紙に印刷し、印刷物４０として出力する印刷処理部８とで構成される。
【００３３】
信号受信提供手段２０は、ＩＣチップ等で構成され、プリンター２に内蔵される。信号受信提供手段２０は、アンテナ３と、アンテナ３を介して放送信号を受信する受信処理部２１と、放送信号からコンテンツデータ及び種別データを抽出するデータ抽出処理部２２と、抽出したコンテンツデータ及び種別データとに基づいて、印刷データを生成する印刷データ生成処理部２３と、抽出したコンテンツデータ及び種別データが防災情報であるか、プリンター２の電源が投入されているか、又は停電時であるか否かを判断する判断処理部２４とで構成される。
【００３４】
受信処理部２１は、アンテナ３を介して受信した放送信号をデータ抽出処理部２２に提供する。データ抽出処理部２２は、受信した放送信号からコンテンツデータ及び種別データを抽出し、抽出したコンテンツデータと種別データとを印刷データ生成処理部２３及び判断処理部２４に提供する。判断処理部２４は、電源がオフ状態である場合、その判断結果を電源制御部６に提供する。また、判断処理部２４は、外部電源が停電時である場合、判断結果を無停電電源装置４に提供する。印刷データ生成処理部２３は、判断処理部２４の判断結果と、コンテンツデータ及び印刷条件ＤＢ５に格納される印刷条件データとに基づいて、印刷データを生成する。印刷条件ＤＢ５に格納されるテーブルについては図３、図５で詳細に説明する。
【００３５】
尚、信号受信提供手段２０は、プリンター２に内蔵されるだけでなく、外付け可能な装置（信号受信提供装置）とすることも可能である。また、信号受信提供手段２０を外付けでプリンターに接続する場合、信号受信提供手段２０に最小限のデータで構成された印刷条件ＤＢ５を持たせ、信号受信提供手段２０のみで印刷データ生成処理を実行させるようにしてもよい。
【００３６】
以下に、放送信号受信印刷システム１での放送信号印刷処理の概略を説明する。先ず、放送局５０から多重化されたＦＭ、ＡＭ信号３０が送信される。プリンター２では、信号受信提供手段２０により、アンテナ３を介して放送信号が受信され、コンテンツデータ及び種別データが抽出され、印刷データが生成される。また、信号受信提供手段２０は、生成された印刷データを印刷処理部８に提供し、印刷データを用紙に印刷し、印刷物４０として出力する。
【００３７】
このように、プリンター２の信号受信提供手段２０により放送信号を受信し、放送信号からコンテンツデータ、種別データを抽出し、抽出した各データに基づいて印刷データを生成し、印刷処理部８により印刷を行うことにより、ＰＣを介すことなく、プリンターの主導で印刷の対象となるデータを含む放送信号を受信し、受信したデータを印刷することができる。従って、ユーザーは、放送信号に付加された防災情報や、毎日のニュース、天気予報などの情報を、印刷物４０から得ることができる。
【００３８】
次に、プリンター２での放送信号受信印刷処理の手順をフローチャートに基づいて説明する。図２は、放送信号受信印刷処理のフローチャートを示す図である。図２において、先ず、ステップＳ１０の処理で、信号受信提供手段２０の受信処理部２１は、アンテナ３を介して放送信号を受信したか否かを判断する。ステップＳ１０の処理で放送信号が受信されなかった場合、ステップＳ１０の処理を繰り返す。ステップＳ１０の処理で放送信号が受信された場合、ステップＳ１１の処理で、データ抽出処理部２２は、受信した放送信号から種別データ、印刷用放送データを抽出する。ステップＳ１２の処理で、判断処理部２４は、抽出した種別データが防災情報であるか否かを判断する。ステップＳ１２の処理で抽出した種別データが防災情報である場合、ステップＳ１３の処理で、判断処理部２４は、プリンター２が電源ＯＦＦ状態であるか否かを判断する。
【００３９】
ステップＳ１３の処理で、プリンター２が電源ＯＦＦ状態である場合、ステップＳ１４の処理で、判断処理部２４は、外部電源が停電状態であるか否かを判断する。ステップＳ１４の処理で、外部電源が停電状態でない場合、ステップＳ１５の処理で、電源制御部６は、プリンター２に電源を投入する。ステップＳ１６の処理で、印刷データ生成処理部２３は、印刷条件ＤＢ５に格納された印刷条件データ、及びコンテンツデータに基づいて印刷データを生成する。ステップＳ１７の処理で、印刷処理部８は、即座に印刷データの印刷を行う。また、ステップＳ１４の処理で、外部電源が停電状態である場合、ステップＳ１８の処理で、電源制御部６は、無停電電源装置４から無停電電源をプリンター２に投入し、ステップＳ１６からの処理を繰り返す。
【００４０】
一方、ステップＳ１３の処理で、プリンター２が電源ＯＦＦ状態でない場合、ステップＳ１９の処理で、印刷データ生成処理部２３は、印刷条件ＤＢ５に格納された印刷条件データ、及びコンテンツデータに基づいて印刷データを生成する。ステップＳ２０の処理で、印刷処理部８は、即座に印刷データの印刷を行う。
【００４１】
ここで、ステップＳ１２の処理に戻り、抽出した種別データが防災情報でない場合、ステップＳ２１の処理で、印刷データ生成処理部２３は、印刷条件ＤＢ５に格納された印刷条件データ、及びコンテンツデータに基づいて印刷データを生成する。ステップＳ２２の処理で、印刷処理部８は、印刷条件ＤＢ５に格納された印刷タイミングデータに基づいて、印刷データの印刷を行う。
【００４２】
このように、放送信号から抽出した種別データが防災情報であり、プリンターの電源が投入されていない場合、電源制御部６又は無停電電源装置４により電源が投入され、受信したコンテンツデータに基づいて印刷データを生成し、即座に印刷を行うため、プリンター２に電源が入っていない場合にも、自動的に電源を投入してその防災情報を印刷することができる。
【００４３】
次に、印刷条件ＤＢ５に格納されるテーブルについて説明する。図３は、印刷条件ＤＢに格納されるテーブルを示す図である。図３に示すテーブル７０は、予めプリンター２の入力制御部７により入力され、印刷条件ＤＢ５に格納された印刷条件データ及び印刷タイミングデータを示している。テーブル７０には、放送信号から抽出される種別データの項目と、種別データのコンテンツデータを加工する印刷条件データの項目と、印刷を行うタイミングを示す印刷タイミングデータの項目とで構成されている。例えば、テーブル７０には、種別データ「Ａ」に対して印刷条件データ「××××」、印刷タイミングデータ「受信後」などが格納されている。
【００４４】
信号受信提供手段２０の印刷データ生成処理部２３は、放送信号から抽出したコンテンツデータと、テーブル７０の印刷条件データに基づいて、独自の印刷データを生成することができる。また、印刷処理部８は、テーブル７０の印刷タイミングデータに基づいて、所定のタイミングで印刷処理を行うことができる。
【００４５】
次に、本発明の第２実施例に係る放送信号受信印刷システムについて説明する。図４は、本発明の第２実施例に係る放送信号受信印刷システムにおける構成図である。図４に示す放送信号受信印刷システム１０において、図１に示す放送信号受信印刷システム１と同様の構成には同符号を付して説明を省略する。また、図１に示す放送局５０は、本実施例においても同様であるため、説明を省略する。
【００４６】
図４に示す放送信号受信印刷システム１０において、プリンター２は、特定話者の音声データが格納された音声データＤＢ９と、特定話者の音声データを文書データに変換する際に使用する辞書データが格納された印刷条件ＤＢ１１とを有する。印刷条件ＤＢ１１に格納される辞書データについては図６で、音声データＤＢ９に格納されるテーブルについては図７で詳細に説明する。プリンター２の信号受信提供手段２０は、放送信号から抽出した放送音声信号を認識する音声認識処理部２５と、音声データを印刷データである文書データに変換する音声データ変換処理部２６とを有する。
【００４７】
放送信号受信印刷システム１０で印刷データを生成する場合、音声認識処理部２５は、放送信号から抽出された放送音声信号と、放送音声データＤＢ９に格納された音声データに基づいて特定話者の音声データであるか認識する。次に、特定話者の音声データであると認識された場合、音声データ変換処理部２６は、印刷条件ＤＢ１１に格納された辞書データに基づいて、放送音声データを文書データに変換する。
【００４８】
次に、音声データ変換処理部２６で実行される音声データ変換処理について説明する。図５は、音声データ変換処理のフローチャートを示す図である。図５において、先ず、ステップＳ３０の処理で、音声認識処理部２５は、データ抽出処理部２２から放送音声データ、及び音声データＤＢ９から音声データを取得する。ステップＳ３１の処理で、音声認識処理部２５は、放送音声データが特定話者の音声データであるか否かを判断する。ステップＳ３１の処理で、放送音声データが特定話者の音声データでない場合、ステップＳ３２の処理で、音声データ変換処理部２６は、放送音声データを直接文書データに変換する。この処理の後、印刷処理部８により変換された文書データが印刷される。
【００４９】
ステップＳ３１の処理で、放送音声データが特定話者の音声データである場合、ステップＳ３３の処理で、音声データ変換処理部２６は、特定話者の音声データＩＤに対応する辞書データを印刷条件ＤＢ１１から取得する。ステップＳ３３の処理で、音声データ変換処理部２６は、辞書データに基づいて放送音声データを文書データに変換する。この処理の後、印刷処理部８により変換された文書データが印刷される。
【００５０】
次に、印刷条件ＤＢ１１に格納される辞書データについて説明する。図６は、印刷条件ＤＢに格納されるテーブルを示す図である。図６に示すテーブル７１は、例えば、以前に放送音声データを文書データに変換された際に頻出度の高かった単語や文書などを辞書データとして、音声データＩＤに対応付けて格納されている。テーブル７１は、話者名の項目と、その話者の音声データＩＤの項目と、音声データＩＤに対応する辞書データの項目とで構成されている。例えば、テーブル７１には、話者名「ａａａａ」に対して、音声データＩＤ「１００１」とその音声データＩＤの辞書データ「％％％％％」が格納されている。
【００５１】
次に、音声データＤＢに格納されるテーブルについて説明する。図７は、音声データＤＢに格納されるテーブルを示す図である。図７に示すテーブル７２には、特定話者毎の放送音声データが音声データＩＤと共に格納されている。テーブル７２は、話者名の項目と、その話者の音声データＩＤの項目と、音声データＩＤに対する音声データの項目とで構成されている。例えば、テーブル７２には、話者名「ａａａａ」に対して、音声データＩＤ「１００１」とその音声データＩＤの辞書データ「ＺＺＺＺＺ」が格納されている。音声認識処理部２５は、このテーブル７２を用いて放送音声データが特定話者の音声データであるかを認識することができる。また、特定話者の音声データであると認識された場合、音声データ変換処理部２６は、その特定話者の音声データＩＤをキーとして図６に示すテーブル７１から辞書データを取得する。
【００５２】
従って、テーブル７２を用いて特定話者の音声データであるか認識し、特定話者である場合にテーブル７１に示す特定話者の辞書データを用いることにより、容易に音声データを文書データへ変換することができる。また、放送音声データを文書データに変換してプリンター２で印刷することにより、ユーザーは、放送音声データをテープレコーダなどで録音することなく、印刷物４０を持ち歩いて読むことができ、利便性を向上させることができる。尚、プリンター２に翻訳機能を持たせることにより、例えば、英語の放送音声データを一端英語の文書データに変換し、英語の文書データを日本語の文書データに翻訳して印刷することも可能である。
【００５３】
次に、本発明の第３実施例に係る放送信号受信印刷システムについて説明する。図８は、本発明の第３実施例に係る放送信号受信印刷システムにおける構成図である。図８に示す放送信号受信印刷システム１００において、図１に示す放送信号受信印刷システム１と同様の構成には同符号を付して説明を省略する。また、図１に示す放送局５０は、本実施例において多重化されたＴＶ信号を送信する場合と同様の構成であるため、説明を省略する。
【００５４】
図８に示す放送信号受信印刷システム１００において、テレビ受像機３６のリモコン３３には、放送信号のコンテンツデータを印刷するタイミングや印刷仕様のデータの設定を変更する機能、即ち印刷条件ＤＢ５に格納された印刷条件データを更新するための印刷条件更新データを送信する機能を有する。例えば、所定時間に放送される放送信号に付加された文字情報である料理番組のレシピや天気予報、ニュース、時刻表、地域情報などを印刷する場合、リモコン３３の操作により、それらの情報を印刷するための印刷条件更新データが音波３５に付加されて送信される。プリンター２の受信処理部２１は、リモコン３３から送信されたの印刷条件更新データが付加された音波３５を受信部（図示せず）で受信する。印刷条件更新処理部２７は、受信した印刷条件更新データに基づいて、印刷条件ＤＢ５の印刷条件データを更新する。印刷データ生成処理部２３は、更新された印刷条件ＤＢ５の印刷条件データに基づいて、印刷形式の印刷データを生成し、印刷処理部８に提供する。印刷処理部８は、印刷データを用紙に印刷し、印刷物４０として出力する。
【００５５】
このように、リモコン３３からの音波３５に付加された印刷条件更新データを受信し、その印刷条件更新データに基づいて印刷条件ＤＢ５の印刷条件データを更新し、更新された印刷条件データに基づいて、所定のタイミング、及び設定された印刷仕様のデータで印刷処理を行うことにより、所定時間の放送信号に含まれる料理番組のレシピや天気予報、時刻表、地域情報などのコンテンツデータを印刷物４０として保存することができる。
【００５６】
尚、テレビ受像機３６のリモコン３３に限定されることなく、印刷条件データを更新する機能を有する情報送信端末（例えば、携帯電話、ＰＤＡなど）であれば適用可能である。
【００５７】
従って、上記放送信号受信印刷システムは、放送信号を受信する放送信号受信手段と、放送信号受信手段により受信した放送信号から印刷の対象となるコンテンツデータと、コンテンツデータの内容を示す種別データとを抽出するデータ抽出手段と、データ抽出手段により抽出されたコンテンツデータ、及び種別データに基づいて、印刷形式の印刷データを生成する印刷データ生成手段と、印刷データ生成手段により生成された上記印刷データを印刷する印刷手段とを有することにより、プリンターの主導で印刷の対象となるコンテンツデータを含む放送信号を受信し、受信したコンテンツデータを加工して印刷することができる。
【００５８】
【発明の効果】
上述の如く本発明によれば、受信した放送信号から印刷の対象となるコンテンツデータと、コンテンツデータの内容を示す種別データとを抽出し、印刷形式の印刷データを生成して印刷することにより、プリンターの主導で印刷の対象となるコンテンツデータを含む放送信号を受信し、受信したコンテンツデータを加工して印刷することができる。
【００５９】
また、上述の如く本発明によれば、信号受信提供装置を既存のプリンターに外付けで接続することができ、印刷の対象となるコンテンツデータを含む放送信号を受信し、受信したコンテンツデータを加工して印刷データを接続された既存のプリンターに提供することができる。
【図面の簡単な説明】
【図１】本発明の第１実施例に係る放送信号受信印刷システムにおける構成図である。
【図２】放送信号受信印刷処理のフローチャートを示す図である。
【図３】印刷条件ＤＢに格納されるテーブルを示す図である。
【図４】本発明の第２実施例に係る放送信号受信印刷システムにおける構成図である。
【図５】音声データ変換処理のフローチャートを示す図である。
【図６】印刷条件ＤＢに格納されるテーブルを示す図である。
【図７】音声データＤＢに格納されるテーブルを示す図である。
【図８】本発明の第３実施例に係る放送信号受信印刷システムにおける構成図である。
【符号の説明】
１、１０、１００        放送信号受信印刷システム
２          プリンター
３、３２、５１          アンテナ
４          無停電電源装置
５、１１    印刷条件ＤＢ
６          電源制御部
７          入力制御部
８          印刷処理部
９          音声データＤＢ
２０        放送信号受信手段
２１        受信処理部
２２        データ抽出処理部
２３        印刷データ生成処理部
２４        判断処理部
２５        音声認識処理部
２６        音声データ変換処理部
３３        リモコン
３６        ＴＶ受像機
４０        印刷物
５０        放送局
５２        送信処理部
５３        データ多重処理部
【図１】
2004336137.tif 000003
【図２】
2004336137.tif 000004
【図３】
2004336137.tif 000005
【図４】
2004336137.tif 000006
【図５】
2004336137.tif 000007
【図６】
2004336137.tif 000008
【図７】
2004336137.tif 000009
【図８】
2004336137.tif 000010